(57)【特許請求の範囲】
【請求項１】
商用電源が供給する電力を充電する二次電池と、
基板と、
前記基板の装着面側に円状に配置された複数の発光体からなる照明用点灯部と、
前記基板の前記装着面側において前記円状の略中心の近傍に配置された、少なくとも一つの点検用発光体から構成される点検用点灯部と、
前記二次電池と前記照明用点灯部との少なくともいずれかの状態を監視し、監視結果に基づいて、前記点検用点灯部の点灯を制御する点検回路と、
前記二次電池を電源として前記照明用点灯部を点灯させる照明点灯回路と、
前記基板の前記装着面側に取り付けられて前記点検用点灯部と前記照明用点灯部とを覆うと共に、前記点検用点灯部と前記照明用点灯部との発する光を透過するレンズと、
円形状の開口が形成された蓋を有し、前記蓋が閉められた場合には前記円形状の前記開口の中心の付近に前記点検用点灯部が位置するように前記基板が配置されると共に、前記開口から前記レンズが突出するように前記レンズが配置された本体と
を備えたことを特徴とする非常用照明器具。
【請求項２】
前記点検用点灯部は、
複数の前記点検用発光体から構成されるとともに前記複数の前記点検用発光体は、前記複数の前記照明用発光体が配置される前記略円周の略中心の近傍に配置されることを特徴とする請求項１記載の非常用照明器具。
【請求項３】
前記点検用点灯部は、
一つの前記点検用発光体から構成され、
前記点検回路は、
前記二次電池の状態を監視するとともに、監視の結果、前記二次電池の正状態常を検出した場合には前記点検用発光体を点灯させる制御をし、前記二次電池の異常状態を検出した場合には前記点検用発光体を消灯させる制御をすることを特徴とする請求項１記載の非常用照明器具。
【請求項４】
前記点検用点灯部は、
一つの前記点検用発光体から構成され、
前記点検回路は、
前記二次電池と前記照明用点灯部とのいずれの状態も監視するとともに、監視の結果、前記二次電池と前記照明用点灯部との双方の正常状態を検出した場合には前記点検用発光体を点灯させる制御をし、前記二次電池と前記照明用点灯部とのいずれか一方の異常状態を検出した場合には前記点検用発光体を点滅させる制御をし、前記二次電池と前記照明用点灯部との双方の異常状態を検出した場合には前記点検用発光体を消灯させる制御をすることを特徴とする請求項１記載の非常用照明器具。
【請求項５】
前記点検用点灯部は、
複数の前記点検用発光体から構成され、
前記点検回路は、
前記二次電池と前記照明用点灯部とのいずれの状態も監視するとともに、監視の結果、前記二次電池と前記照明用点灯部との少なくともいずれかの正常状態を検出した場合には予め定められた設定にしたがって前記複数の前記点検用発光体のうちの少なくともいずれかの前記点検用発光体を点灯させる制御をし、前記照明用点灯部と前記二次電池との双方の異常状態を検出した場合には前記複数の点検用発光体の全部を消灯させる制御をすることを特徴とする請求項１記載の非常用照明器具。
【発明の詳細な説明】
【技術分野】
【０００１】
本発明は、停電時にバッテリでランプを点灯する非常用照明器具に関する。例えば、バッテリ及びランプが正常どうかを表示する非常用照明器具に関する。
【背景技術】
【０００２】
非常用照明器具（非常灯という場合もある）は、不特定多数の人が集まる場所での火災や地震、その他の災害などによる停電の場合に、その場にいる人を安全に非難できるように室内や通路を照明する器具である。特許文献１の図２及び図３（本願には添付していない）等、あるいは特許文献２の図１（本願には添付していない）に構成が示されている。
【０００３】
非常用照明器具はバッテリを備えており、商用電源でこのバッテリを充電する。そして、例えば火災や地震で停電になった場合に、バッテリで点灯することにより、その場にいる人を安全に非難できるように室内や通路を照明する。災害等の停電の場合にバッテリで点灯するため、バッテリの充電状態が重要である。このため、非常用照明器具は、バッテリの充電状態を表示する充電モニタを備える（特許文献１の充電モニタランプ４、特許文献２の充電用モニター１２）。充電モニタの確認は、天井に取り付けられた非常用照明器具を仰ぎ見ることで行う。
【０００４】
この場合、従来の技術（例えば、特許文献１、特許文献２）では、充電モニタの光を通す穴が小さく、確認するには非常灯の真下に位置して仰ぎ見る要があり、確認をするのに容易ではなかった。また、バッテリの充電状態の他、停電時にバッテリで点灯するランプが正常かどうかを表示できれば非常灯の信頼性がさらに向上する。
【特許文献１】特開２００５−９３２５０号公報
【特許文献２】特開２００５−１２９５１７号公報
【発明の開示】
【発明が解決しようとする課題】
【０００５】
この発明は、天井に設置される非常灯において、あるいは天井に設置される照明器具に備えられる非常灯において、バッテリまたは非常用（照明用）ランプの異常を天井付近に設置された非常灯の真下以外の位置からでも容易に確認可能な点検用モニタ有する非常灯の提供を目的とする。
【課題を解決するための手段】
【０００６】
この発明の点灯装置は、
商用電源が供給する電力を充電する二次電池と、
前記商用電源を電源として点灯する点検用点灯部と、
前記二次電池を電源として点灯する照明用点灯部と、
前記商用電源を電源として動作することにより、前記二次電池と前記照明用点灯部との少なくともいずれかの状態を監視し、監視結果に基づいて、前記点検用点灯部の点灯を制御する点検回路と、
前記商用電源の供給が遮断された場合に、前記二次電池を電源として前記照明用点灯部を点灯させる照明点灯回路と
を備え、
前記点検用点灯部と前記照明用点灯部とは、
基板の同じ面側に設置されるとともにレンズに覆われることにより、前記基板と前記レンズとによりパッケージングされていることを特徴とする。
【発明の効果】
【０００７】
この発明により、バッテリまたは非常用ランプの異常を天井に取り付けられた器具の真下以外の位置からでも容易に確認可能な点検用モニタを備えた非常用照明器具を提供することができる。
【発明を実施するための最良の形態】
【０００８】
実施の形態１．
図１〜図１０を用いて実施の形態１を説明する。実施の形態１は、停電時にバッテリ（二次電池、あるいは電池という場合がある）でランプを点灯する非常用照明器具に関し、バッテリ及びランプが正常どうかを表示する非常用照明器具に関する実施形態である。以下の実施の形態では、光を発する発光体として発光ダイオード（以下、ＬＥＤという）を用いて説明する。
【０００９】
図１は、実施の形態１における非常用照明器具であるＬＥＤ電池内蔵型非常灯（点灯装置）の外観を示す図である。図１に示すようにＡ方向が天井側であり、Ｂ方向が室内側である。ＬＥＤ電池内蔵型非常灯１００は、Ａ方向の天井側に取り付けられ、ＬＥＤレンズ１１３から光を室内側に向けて照射する。
【００１０】
図２は、ＬＥＤ電池内蔵型非常灯１００の構成の概略を示す構成図である。ＬＥＤ電池内蔵型非常灯１００は、本体１５０の中にバッテリ１３０（二次電池）を備え、蓋１５３により閉じられる。本体１５０には装置取付けばね１５２があり、これによりＬＥＤ電池内蔵型非常灯１００が天井に取り付けられる。また、本体１５０には電池保持ばね１５１があり、これによりバッテリ１３０が本体内部に取り付けられる。本体１５０は、それぞれの回路とＬＥＤとを含むユニット１２０を備える。
【００１１】
図３は、ＬＥＤ電池内蔵型非常灯１００の構成を示すブロック図である。図３に示すように、ＬＥＤ電池内蔵型非常灯１００は、ＬＥＤモジュール１１０（照明モジュール）、ユニット１２０、バッテリ１３０とから構成される。ユニット１２０は、商用電源からの電力でバッテリ１３０を充電する。
【００１２】
図４は、ＬＥＤモジュール１１０の構成を示す図である。ＬＥＤモジュール１１０では、点検用ＬＥＤ１１１ａが点検用点灯部１０００を構成している。図４の場合は、点検用点灯部１０００は点検用ＬＥＤ１１１ａのみにより構成されるが、後述の図１１、図１２では、２つのＬＥＤが点検用点灯部１０００を構成している。また、照明用ＬＥＤ１１２ａと、照明用ＬＥＤ１１２ｂと、照明用ＬＥＤ１１２ｃとが、照明用点灯部２０００を構成している。
【００１３】
図４に示すように、ＬＥＤモジュール１１０は、点検用点灯部１０００と、照明用点灯部２０００と、点検用点灯部１０００と照明用点灯部２０００とが同一の装着面側１１５に設置される基板１１４と、基板１１４に設置された点検用点灯部１０００と照明用点灯部２０００とを覆うＬＥＤレンズ１１３とが、一体でパッケージングされている。図４のように、一体でパッケージングされているＬＥＤモジュール１１０を用いることがＬＥＤ電池内蔵型非常灯１００の一つの特徴である。
【００１４】
図４のＣ矢視に示すように、照明用点灯部２０００を構成する照明用ＬＥＤ１１２ａ〜照明用ＬＥＤ１１２ｃは、基板１１４の装着面側１１５において略同一円周上に配置される。また、点検用点灯部１０００を構成する点検用ＬＥＤ１１１ａは、照明用ＬＥＤ１１２ａ〜照明用ＬＥＤ１１２ｃが配置される略円周の略中心付近（近傍）に配置されている。
【００１５】
図５は、ＬＥＤ電池内蔵型非常灯１００の構成を示すブロック図である。ＬＥＤ電池内蔵型非常灯１００は、ＬＥＤモジュール１１０と、ユニット１２０と、バッテリ１３０とを備える。
【００１６】
（ＬＥＤモジュール１１０）
ＬＥＤモジュール１１０は、図４の説明で述べたように、少なくとも一つの点検用ＬＥＤから構成される点検用点灯部１０００と、少なくとも一つの照明用ＬＥＤから構成される照明用点灯部２０００とからなる。
【００１７】
（ユニット１２０）
ユニット１２０は、整流回路１２１と、点検回路１２２と、照明点灯回路１２３と、切換回路１２４と、充電回路１２５と、点検スイッチ１２６とを備える。
【００１８】
ユニット１２０の備える各回路の機能を、商用電源の供給がある場合と、商用電源の供給が無い場合（停電時）に分けて簡単に説明する。
【００１９】
（１．商用電源からの供給が有る場合：通常時の動作）
商用電源からの供給が有る場合、次の（１）〜（４）の動作である。
（１）整流回路１２１が、点検回路１２２、切換回路１２４、充電回路１２５に直流電源を供給する。
（２）点検回路１２２は、商用電源を電源として動作することにより、バッテリ１３０と照明用点灯部２０００との少なくともいずれかの状態を監視し、監視結果に基づいて、点検用点灯部１０００の点灯を制御する。具体的には、点検回路１２２は、バッテリ１３０の異常、照明用点灯部２０００（照明用ＬＥＤ）の異常を検知し、点検用点灯部１０００を構成する点検用ＬＥＤを点灯制御して、バッテリ１３０と照明用点灯部２０００（照明用ＬＥＤ）との状態を表示する。バッテリ１３０の異常とは、例えば、充電電圧が正常値かどうかで判定することができる。照明用点灯部２０００の異常とは、例えば後述の図６において、照明用点灯部２０００を構成する照明用ＬＥＤ１１２ａ〜１１２ｃが形成する回路の電圧が正常値かどうかで判定することができる。点検回路１２２は、これらの電圧を監視し、異常かどうかを検出する。なお、バッテリ１３０のみについて正常か異常かを表示するようにしても構わない。あるいは、照明用点灯部２０００（照明用ＬＥＤ）が正常か異常かを表示するようにしても構わない。
（３）照明点灯回路１２３内の切換回路１２４は、照明用ＬＥＤが点灯しないように制御している。
（４）充電回路１２５は、商用電源の電気をバッテリ１３０に供給し、バッテリ１３０を充電する。
【００２０】
（２．点検スイッチ１２６の操作によらず商用電源の供給がなくなったとき）
点検スイッチ１２６の操作によらず商用電源の供給がなくなった場合は、次の（１）〜（４）の動作である。
（１）整流回路１２１による点検回路１２２、切換回路１２４、充電回路１２５への電力供給はない。
（２）点検回路１２２は、電力供給が無いため動作しない。
（３）照明点灯回路１２３内の切換回路１２４は、バッテリ１３０から照明用ＬＥＤ（照明用点灯部２０００）へ電気を供給して点灯させる。
（４）充電回路１２５は、整流回路１２１からの供給が無いため動作はしない。
【００２１】
（３．人の操作により点検スイッチ１２６を点検モードとした場合）
人の操作により点検スイッチ１２６を「点検モード」にされた場合には、上記の「点検スイッチ１２６の操作によらず商用電源の供給がなくなった場合」と同じく商用電源が遮断される。その場合の動作は、上記の「点検スイッチ１２６の操作によらず商用電源の供給がなくなった場合」と同様である。
【００２２】
図６〜図１０を用いて、ＬＥＤモジュール１１０の具体的な回路構成を説明する。
【００２３】
図６は、ＬＥＤモジュール１１０の回路構成を示す回路図である。図６は、図４のＣ矢視の配置の回路図に相当する。図６に示すＬＥＤモジュール１１０の外観は、図４に示したとおりである。図６の例では、照明用点灯部２０００が、照明用ＬＥＤ１１２ａ，照明用ＬＥＤ１１２ｂ，照明用ＬＥＤ１１２ｃから構成されている。また、点検用点灯部１０００が点検用ＬＥＤ１１１ａから構成されている。
【００２４】
図７は、図６の回路構成を基板１１４に配置した状態を示す図である。前記のように、図７は図４のＣ矢視に同じである。点検用ＬＥＤ１１１ａは緑色の光を発する。３つの照明用ＬＥＤ１１２ａ〜１１２ｃは、白色の光を発する。
【００２５】
図７に示すように、照明用ＬＥＤ１１２ａ〜１１２ｃは、基板１１４の装着面側１１５において略同一円周上に配置されるとともに、それぞれの照明用ＬＥＤは同一円周上で略１２０度間隔に配置される。また、点検用ＬＥＤ１１１ａは、照明用ＬＥＤ１１２ａ〜１１２ｃが配置される略円周の略中心の近傍に配置される。
【００２６】
図８は、図７に対して照明用ＬＥＤ（白色）を４つとした構成である。４つの照明用ＬＥＤは、基板１１４の装着面側１１５において略同一円周上に配置されるとともに、それぞれの照明用ＬＥＤは同一円周上で略９０度間隔に配置される。なお、ＬＥＤの発色については、照明用ＬＥＤを白色、点検用ＬＥＤを緑色としているが、特に限定するものではなく、照明用ＬＥＤの発する光の色と、点検用ＬＥＤの発する光の色とが区別できるものであれば、色は限定されない。
【００２７】
図９は、図６〜図８に示したＬＥＤモジュール１１０において、点検回路１２２が、バッテリ１３０の状態のみを監視する例を示す図である。点検回路１２２は、図９に示すように、「商用電源の供給あり」の場合にこれを電源として動作する。図６〜図８では複数の照明用ＬＥＤを示しているが、照明用ＬＥＤは少なくとも一つあればよい。
（１）点検回路１２２は、バッテリ１３０の正常状態を検出した場合には、点検用点灯部１０００の点検用ＬＥＤ１１１ａを点灯（緑色）させる制御をする。すなわち、図１のＬＥＤレンズ１１３から緑色の光が見える場合は、バッテリ１３０の充電電圧が正常である。
（２）また、点検回路１２２は、バッテリ１３０の異常状態を検出した場合には、点検用ＬＥＤ１１１ａを消灯させる制御をする。すなわち、すなわち図１のＬＥＤレンズ１１３から何の光も見えない場合は、バッテリ１３０に電圧異常があることを示している。このように、商用電源の遮断時に発せられる光を透過するＬＥＤレンズ１１３を見ることによりバッテリ１３０の状態を確認できるので、非常に見やすくなる。
（３）なお、商用電源が遮断された場合（図９の右の列）には、照明点灯回路１２３が照明用ＬＥＤ１１２ａ（白色）を点灯させる。よって、図１のＬＥＤレンズ１１３からは白色の光が照射される。
【００２８】
図１０は、図６〜図８に示したＬＥＤモジュール１１０において、点検回路１２２が、「商用電源の供給あり」の場合に、バッテリ１３０の状態に加え、さらに、照明用ＬＥＤ１１２ａ等から構成される照明用点灯部２０００を監視する例を示す図である。
（１）図１０に示すように、点検回路１２２はバッテリ１３０と照明用点灯部２０００との双方の正常状態を検出した場合には、点検用ＬＥＤ１１１ａを点灯（緑色）させる制御をする。すなわち、ＬＥＤ電池内蔵型非常灯１００では、商用電源が供給されており、かつ、バッテリ１３０と照明用点灯部２０００とのいずれも正常である限り、ＬＥＤレンズ１１３からは緑の光が常に見える。
（２）点検回路１２２は、バッテリ１３０と照明用点灯部２０００とのうち、いずれか一方の異常状態を検出した場合には、点検用ＬＥＤ１１１ａを点滅させる制御をする。図１０に示すように、点検回路１２２は、照明用点灯部２０００が異常と検知した場合には、点検用ＬＥＤ１１１ａをゆっくり点灯させる。
（３）また、点検回路１２２は、バッテリ１３０が異常と検知した場合には、照明用点灯部２０００異常の場合に比べ、点検用ＬＥＤ１１１ａをはやく点灯させる。
（４）点検回路１２２は、バッテリ１３０と照明用点灯部２０００との双方の異常状態を検出した場合には、点検用ＬＥＤ１１１ａを消灯させる（点灯も点滅もさせない）制御をする。
（５）なお、商用電源が遮断された場合（図１０の右の列）には、照明点灯回路１２３が照明用ＬＥＤ１１２ａ〜１１２ｃを点灯させるのは図９の場合と同様である。
【００２９】
実施の形態２．
次に、図１１〜図１４を用いて実施の形態２説明する。実施の形態２は、ＬＥＤ電池内蔵型非常灯１００において、点検用点灯部１０００が２つの点検用ＬＥＤから構成される実施形態である。実施の形態２では、実施の形態１が点検用ＬＥＤ１１１ａ（緑）の点滅で異常を表示したのに対して、２つ点検用ＬＥＤ（緑と赤）の「色の違い」で異常を表示する実施形態である。
【００３０】
図１１は、実施の形態２におけるＬＥＤモジュール１１０の回路構成を示す図であり、実施の形態１の図６に対応する。図６の回路では点検用点灯部１０００が一つの点検用ＬＥＤ１１１ａのみで構成されていたのに対して、図１１では、点検用点灯部１０００が点検用ＬＥＤ１１１ａ（緑）と、点検用ＬＥＤ１１１ｂ（赤）との２つの点検用ＬＥＤから構成されている。
【００３１】
図１２は、図１１の回路構成の各ＬＥＤを基板１１４に配置した状態を示す図であり、実施の形態１の図７に対応する。図１２に示すように、点検用ＬＥＤ１１１ａは「緑色」の光を発し、点検用ＬＥＤ１１１ｂは「赤色」の光する。また、３つの照明用ＬＥＤ１１２ａ〜１１２ｃは、白色の光を発する。
【００３２】
図１２に示すように、照明用ＬＥＤ１１２ａ〜１１２ｃは、基板１１４の装着面側１１５において略同一円周上に配置されるとともに、それぞれの照明用ＬＥＤは同一円周上で略１２０度間隔に配置される。また、点検用ＬＥＤ１１１ａと点検用ＬＥＤ１１１ｂとは、照明用ＬＥＤ１１２ａ〜１１２ｃが配置される略円周の略中心の近傍に配置される。
【００３３】
図１３は、図１２に対して照明用ＬＥＤ（白色）を４つとした構成である。４つの照明用ＬＥＤは、基板１１４の装着面側１１５において略同一円周上に配置されるとともに、それぞれの照明用ＬＥＤは同一円周上で略９０度間隔に配置される。なお、ＬＥＤの発色については、照明用ＬＥＤを白色、２つの点検用ＬＥＤを緑色、赤色としているが、特に限定するものではない。照明用ＬＥＤの発する光の色、点検用ＬＥＤ１１１ａの発する光の色，点検用ＬＥＤ１１１ｂの発する光の色が、それぞれ区別できるものであればよい。
【００３４】
図１４は、図１１〜図１３に示したＬＥＤモジュール１１０において、点検回路１２２が、「商用電源の供給あり」の場合に、バッテリ１３０の状態と照明用点灯部２０００との状態を監視する例を示す図である。点検回路１２２は、照明用点灯部２０００とバッテリ１３０との少なくともいずれかの正常状態を検出した場合には、予め定められた設定にしたがって、点検用ＬＥＤ１１１ａ、点検用ＬＥＤ１１１ｂとのうちの少なくともいずれかの点検用ＬＥＤを点灯させる制御を行う。また、点検回路１２２は、照明用点灯部２０００とバッテリ１３０との双方の異常状態を検出した場合には、点検用ＬＥＤ１１１ａ、点検用ＬＥＤ１１１ｂとのいずれも点灯させない。図１４をもとに具体例を説明する。
（１）図１４に示すように、点検回路１２２はバッテリ１３０と照明用点灯部２０００との双方の正常状態を検出した場合には、予め定められた設定にしたがって、点検用ＬＥＤ１１１ａのみを点灯（緑色）させる制御をする。すなわち、ＬＥＤ電池内蔵型非常灯１００は、商用電源が供給されており、かつ、バッテリ１３０と照明用点灯部２０００とのいずれも正常である限り、ＬＥＤレンズ１１３からは緑の光が常に見える。
（２）点検回路１２２は、バッテリ１３０と照明用点灯部２０００とのうち、照明用ＬＥＤ１１２ａ等から構成される照明用点灯部２０００が異常と検知した場合には、予め定められた設定にしたがって、点検用ＬＥＤ１１１ａと点検用ＬＥＤ１１１ｂとの双方を点灯させる。このため、ＬＥＤレンズ１１３からは、黄橙色の光が見える。
（３）また、点検回路１２２は、バッテリ１３０が異常と検知した場合には、予め定められた設定にしたがって、点検用ＬＥＤ１１１ｂ（赤色）を点灯させる。このため、ＬＥＤレンズ１１３からは、赤色の光が見える。
（４）点検回路１２２は、バッテリ１３０と照明用点灯部２０００との双方の異常状態を検出した場合には、点検用ＬＥＤ１１１ａを消灯させる（点灯も点滅もさせない）制御をする。
（５）なお、商用電源が遮断された場合（図１４の右の列）には、照明点灯回路１２３が照明用ＬＥＤ１１２ａ〜１１２ｃ（白色）を点灯させるのは、図１０の場合と同様である。
【００３５】
以上ではＬＥＤ電池内蔵型非常灯１００は天井埋込みタイプとして説明したが、ＬＥＤ電池内蔵型非常灯１００はこれに限るものではない。照明器具がＬＥＤ電池内蔵型非常灯１００を備える実施形態でもかまわない。すなわち、器具本体とＬＥＤ電池内蔵型非常灯１００とを備える照明器具の実施形態でもよい。
【００３６】
以上の実施の形態のＬＥＤモジュール１１０は、、点検用点灯部１０００と照明用点灯部２０００とが一つのパッケージに納められるので、ＬＥＤレンズ１１３から容易に点検用点灯部１０００の点灯状態を確認することができる。
【００３７】
以上の実施の形態のＬＥＤモジュール１１０は、点検用点灯部１０００と照明用点灯部２０００とのそれぞれが、少なくとも一つのＬＥＤから構成されているので、モジュールの小型化及び省電力化をはかることができる。
【００３８】
以上の実施の形態のＬＥＤモジュール１１０は、照明用点灯部２０００が複数の照明用ＬＥＤから構成されるとともに、複数の照明用ＬＥＤは基板１１４上に略同一円周上に配置される。また、点検用点灯部１０００を構成する点検用ＬＥＤは、複数の照明用ＬＥＤが配置される前記略円周の略中心の近傍に配置されるので、照明用の明るさを確保した上で、ＬＥＤレンズ１１３から点検用の光を見やすいようにだすことができる。
【００３９】
以上の実施の形態のＬＥＤモジュール１１０は、点検用ＬＥＤを複数備えるので、色々な表示モードに対応することができる。
【００４０】
以上の実施の形態のＬＥＤ電池内蔵型非常灯１００は、点検回路がバッテリ１３０と照明用点灯部２０００との少なくともいずかを監視するともに、監視結果により点検用ＬＥＤを所定の点灯モードで点灯させ、あるいは消灯する制御を行う。また、点検用ＬＥＤの光は照明用ＬＥＤの光を透過するＬＥＤレンズ１１３から出るので、バッテリ１３０あるいは、照明用点灯部２０００が見やすくなり、これらの状態の視認性が向上する。
【００４１】
以上の実施の形態では、二次電池と、商用電源の電力を変換して前記二次電池を充電する充電回路と、点検用ＬＥＤ素子と照明用ＬＥＤ素子とを有するＬＥＤモジュールと、前記二次電池の電圧または電流を検出するとともに前記点検用ＬＥＤ素子を点灯して前記二次電池の状態を表示する点検回路と、電源から供給される電力を変換して前記照明用ＬＥＤ素子を点灯させる照明点灯回路と、停電時に前記二次電池の電力を前記点灯回路に供給する切り替え回路とを備える非常用点灯装置を説明した。
【００４２】
以上の実施の形態では、前記点検用ＬＥＤ素子を略中央に配置するとともに、前記点検用ＬＥＤ素子を中心とする略円弧状に点検用ＬＥＤ素子を配置するＬＥＤモジュールとする非常用点灯装置を説明した。
【００４３】
以上の実施の形態では、器具本体と、非常用点灯装置とを備える照明器具説明した。
【図面の簡単な説明】
【００４４】
【図１】実施の形態１におけるＬＥＤ電池内蔵型非常灯１００の外観図。
【図２】実施の形態１におけるＬＥＤ電池内蔵型非常灯１００の組み立て図。
【図３】実施の形態１におけるＬＥＤ電池内蔵型非常灯１００のブロック図。
【図４】実施の形態１におけるＬＥＤモジュール１１０の構成図。
【図５】実施の形態１におけるＬＥＤ電池内蔵型非常灯１００のブロック構成図。
【図６】実施の形態１におけるＬＥＤモジュール１１０の回路図。
【図７】実施の形態１におけるＬＥＤの基板配置図。
【図８】実施の形態１におけるＬＥＤの基板配置図の別の例。
【図９】実施の形態１における点検回路１２２によるＬＥＤ表示を示す図。
【図１０】実施の形態１における点検回路１２２によるＬＥＤ表示の別の例を示す図。
【図１１】実施の形態２におけるＬＥＤモジュール１１０の回路図。
【図１２】実施の形態２におけるＬＥＤの基板配置図。
【図１３】実施の形態２におけるＬＥＤの基板配置図の別の例。
【図１４】実施の形態２における点検回路１２２によるＬＥＤ表示を示す図。
【符号の説明】
【００４５】
１００  ＬＥＤ電池内蔵型非常灯、１１０  ＬＥＤモジュール、１１１ａ，１１１ｂ  点検用ＬＥＤ、１１２ａ，１１２ｂ，１１２ｃ  照明用ＬＥＤ、１１３  ＬＥＤレンズ、１１４  基板、１１５  装着面側、１２０  ユニット、１２１  整流回路、１２２  点検回路、１２３  照明点灯回路、１２４  切換回路、１２５  充電回路、１２６  点検スイッチ、１３０  バッテリ、１５０  本体、１５１  電池保持ばね、１５２  装置取付けばね、１５３  蓋、１０００  点検用点灯部、２０００  照明用点灯部。
【図１】
0004579845.tif 000002
【図２】
0004579845.tif 000003
【図３】
0004579845.tif 000004
【図４】
0004579845.tif 000005
【図５】
0004579845.tif 000006
【図６】
0004579845.tif 000007
【図７】
0004579845.tif 000008
【図８】
0004579845.tif 000009
【図９】
0004579845.tif 000010
【図１０】
0004579845.tif 000011
【図１１】
0004579845.tif 000012
【図１２】
0004579845.tif 000013
【図１３】
0004579845.tif 000014
【図１４】
0004579845.tif 000015